(57)【要約】【課題】  太陽光の利用効率を高めると共に風力をも併せて利用した効率のよい発電装置を提供すること。【解決手段】  垂直軸形の風車、特にサボニウス形風車又はＳ字ロータ形風車によって駆動される発電機を備え、且つ、該風車の各羽根が、太陽電池を内部に挟み込んだ透明プレートの形態の太陽電池パネルによって構成されており、好ましくは該風車がその下端において該羽根と一体に回転する反射板を、該羽根の前後利両側に備える、該発電機及び該太陽電池から同時に電力を取り出すことができるものである、太陽光・風力発電装置。【選択図】  図１０
2006105107.tif 000002
【特許請求の範囲】
【請求項１】
垂直軸形の風車によって駆動される発電機を備え、且つ、該風車の各羽根が、太陽電池を内部に挟み込んだ透明プレートの形態の太陽電池パネルによって構成されており、該発電機及び該太陽電池から同時に電力を取り出すことができるものである、太陽光・風力発電装置。
【請求項２】
該太陽電池が、表裏両面において太陽光を受けて発電できるものである、請求項１の太陽光・風力発電装置。
【請求項３】
該風車がサボニウス形風車又はＳ字ロータ形風車である、請求項１又は２の太陽光・風力発電装置。
【請求項４】
該風車がその下端において、該羽根と一体に回転する反射板を、該羽根の前後利両側に備えるものである、請求項１ないし３の何れかの太陽光・風力発電装置。
【請求項５】
該反射板が、該羽根の前後両側において該羽根の方向へ傾斜しているものである、請求項４の力発電装置。
【請求項６】
該傾斜の角度が該風車の回転軸に垂直な平面に対して３０°以内である、請求項５の太陽光・風力発電装置。
【請求項７】
該反射板が、該羽根とは反対側の面に、該羽根の回転方向に関して該羽根の風受け面と同じ方向に向けた凹面よりなる風受けを備えるものである、請求項４ないし６の何れかの太陽光・風力発電装置。
【請求項８】
該太陽電池からの出力端子の一方が、該風車の回転軸に取り付けられた第１の転がり軸受の内輪に電気的に接続されており、該太陽電池からの出力端子の他方が、該回転軸に取り付けられた第２の転がり軸受の内輪に電気的に接続されており、該第１の転がり軸受、該回転軸及び該第２の転がり軸受の相互間が、該回転軸を介して該第１及び第２の転がり軸受間に電流が流れないように少なくとも１箇所において絶縁されており、該第１及び第２の転がり軸受けのそれぞれの転動体及び外輪を介して、それぞれの出力端子からの出力が取り出されるものである、請求項１ないし７の何れかの太陽光・風力発電装置。
【発明の詳細な説明】
【技術分野】
【０００１】
本発明は、風力及び太陽光を用いて同時に発電をすることのできる発電装置に関する。
【背景技術】
【０００２】
太陽電池を用いる太陽光発電においては、太陽電池は、建物の屋根、屋上や壁面に、通常固定して設置される。しかしながら、太陽電池による発電効率は、表面に対する太陽光の入射角が増大すると、傾斜により受ける光量が減るため、及び太陽電池表面での反射率が増大するために、急激に低下する。その結果、従来の太陽光発電では、効率的な発電が見込めるのは１日の日照時間のうち短い時間帯に限られ、残りの時間帯の発電効率は低い。太陽光線の方向に追随するように装置を作製することは可能であるが、装置が複雑化する上、駆動に電力を要することとなるため、実用的でない。  
【０００３】
一方、風力発電装置は、屋外の風通しのよい、通常は日当たりもよい場所に設置されるため、これに太陽電池パネルが併設されることもある。しかしこの場合も、太陽電池の設置角度は固定されており１日のうちの僅かな時間帯しか効率的な太陽光発電は望めず、太陽電池の発電効率が低い。
【発明の開示】
【発明が解決しようとする課題】
【０００４】
本発明は、このような背景において、太陽光の利用効率を高めると共に風力をも併せて利用した効率のよい発電装置を提供することを目的とする。
【課題を解決するための手段】
【０００５】
本発明者は、垂直軸形の風車（すなわち、回転軸に対して横方向からの風力によって回転駆動されるタイプの風車をいう。）の各羽根を太陽電池によって構成すれば、日照時間中の太陽の方角に拘わり無く羽根がほぼ正面から太陽光を受けることができ、日の出から日没までの太陽光の照射角度の変化による影響を殆んど受けることがなくなって、１日の日照時間を通じて一定して効率的に太陽光発電を行うことができることに着目し、これによる電力を風車による風力発電で得られる電力と併せて蓄え、取り出し得るようにすれば、効率のよい発電装置が得られることを見出した。
【０００６】
また、太陽光の一部は太陽電池表面への入射角に応じて表太陽電池の（又はその上の被覆層の）表面で反射されてしまうが、その少なくとも一部を太陽電池の方向へ戻し、又は更に太陽電池の直ぐ近くに入射する太陽光の一部を太陽電池に向けてやることにより、太陽光発電の効率を高めることができること、及び、風車の下端付近に反射板を固定することによって、これを達成できることを見出した。
【０００７】
更には、上記反射板を取り付けることによって発生し得る空気抵抗は、反射板の裏面に羽根と同じ回転方向の風受けを取り付けることによって相殺できることを見出した。
【０００８】
本発明は、上記の発見に基づき完成された。すなわち、本発明は以下を提供するものである。
（１）垂直軸形の風車によって駆動される発電機を備え、且つ、該風車の各羽根が、太陽電池を内部に挟み込んだ透明プレートの形態の太陽電池パネルによって構成されており、該発電機及び該太陽電池から同時に電力を取り出すことができるものである、太陽光・風力発電装置。
（２）該太陽電池が、表裏両面において太陽光を受けて発電できるものである、上記１の太陽光・風力発電装置。
（３）該風車がサボニウス形風車又はＳ字ロータ形風車である、上記１又は２の太陽光・風力発電装置。
（４）該風車がその下端において、該羽根と一体に回転する反射板を、該羽根の前後利両側に備えるものである、上記１ないし３の何れかの太陽光・風力発電装置。
（５）該反射板が、該羽根の前後両側において該羽根の方向へ傾斜しているものである、上記４の太陽光・風力発電装置。
（６）該傾斜の角度が該風車の回転軸に垂直な平面に対して３０°以内である、上記５の太陽光・風力発電装置。
（７）該反射板が、該羽根とは反対側の面に、該羽根の回転方向に関して該羽根の風受け面と同じ方向に向けた凹面よりなる風受けを備えるものである、上記４ないし６の何れかの太陽光・風力発電装置。
（８）該太陽電池からの出力端子の一方が、該風車の回転軸に取り付けられた第１の転がり軸受の内輪に電気的に接続されており、該太陽電池からの出力端子の他方が、該回転軸に取り付けられた第２の転がり軸受の内輪に電気的に接続されており、該第１の転がり軸受、該回転軸及び該第２の転がり軸受の相互間が、該回転軸を介して該第１及び第２の転がり軸受間に電流が流れないように少なくとも１箇所において絶縁されており、該第１及び第２の転がり軸受けのそれぞれの転動体及び外輪を介して、それぞれの出力端子からの出力が取り出されるものである、上記１ないし７の何れかの太陽光・風力発電装置。
【発明の効果】
【０００９】
本発明によれば、単一の装置によって、風力発電を行うと同時に、１日の日照時間を通じて、太陽の方角に影響されることなくほぼ均一な出力の太陽光発電を効率よく行うことができ、更に、従来の風力発電装置の設置スペースのままで風力及び太陽光発電を併せて行うことができることから、風力及び太陽光エネルギーの利用率の高い発電装置を得ることができる。
【発明を実施するための最良の形態】
【００１０】
本発明において、風車としては、垂直軸形のものが用いられる。これは、そのような風車の場合、その羽根は、回転しながら満遍なく四方に向くため、日の出から日没までの太陽の移動に拘わりなく、太陽の方角に向くことができるからである。
【００１１】
風車の羽根を構成する太陽電池パネルには、樹脂（アクリル系樹脂等）又はガラスのプレートを、太陽電池のための被服材として用いることができる。ガラスは、強化ガラス等の強度の大きなものであることが好ましい。羽根は、太陽電池を封入した一体成形の樹脂プレートとしてもよく、又は、羽根の形状の表裏２枚の樹脂若しくはガラスのプレートの間に挟みこんで固定したものとしてもよく、太陽電池からの２本の端子は、適宜の位置、通常はプレートの縁から、外部に導出される。
【００１２】
羽根の構成要素である太陽電池としては、発電効率を高めるために、表裏両面で発電できるものが好ましい。そのような太陽電池の例としては、日立製作所の単結晶シリコン両面受光セルSOLAZUREが挙げられる。
【００１３】
本発明において用いることのできる垂直軸の風車の例としては、サボニウス形風車、Ｓ字ロータ形風車、ジャイロミル形風車、ダリウス形風車等が挙げられ、これらは何れも周知である。「サボニウス形風車（Savonius rotor）」とは、垂直軸の周りに回転する２個の半円筒状の片寄りカップでできている風車であり（図１）、低速の風でも大きなトルクで回転することができる。本発明において、サボニウス形風車について「羽根」というときは、各カップの円筒面をいう。「Ｓ字ロータ形風車」は、羽根の断面が概略Ｓ字形（又はＺ字形）でその中心に回転軸のあるもの、すなわち、羽が両側において同一の周方向に折れ曲がっているものをいい（図２）、本発明においては、直線的に折れ曲がっているものも含む。「ジャイロミル形風車」は、航空機の翼様の断面を有する縦長の長方形輪郭の複数の羽根を、回転軸から伸ばした腕によって円周上に、回転軸と平行に配置した形態のものである。「ダリウス形風車」は、ジャイロミル形風車と同様に飛行機の翼様の断面を有する細長い弯曲した複数の羽根を、その上下両端において、回転軸の上下に取り付けたものである。これらのうち、サボニウス形風車、Ｓ字ロータ形風車が、風車全体に占める羽根の面積比率が大きいことから、好ましく、このうちサボニウス形風車が、低速の風でも大きなトルクで回転することから特に好ましい。
【００１４】
風車への羽根の取り付けは、採用する羽根の形状に応じて適宜に決定すればよい。サボニウス形風車の場合、例えば、各羽根の上下両端及び縦の辺を共に挟み込むように設計された枠体を用い、この枠体を風車の軸に取り付ければよい。遠心力及び風圧による羽根の撓みや脱落のおそれを最小限とするために必要な場合には、枠体は、例えば上下の中間位置にも羽根を挟み込む１本又は２本以上の補強用の桟を備えていることができる。
【００１５】
回転する羽根を構成する太陽電池の端子から地面に対して静止した装置本体へと電力を導出するための方法は、特に限定されない。しかしながら、ムラのない均質な導出と装置の維持管理の点から特に好ましいのは、風車の回転軸を一対の金属製の転がり軸受で支持し、一方の転がり軸受の内輪に太陽電池の一方の端子を、外輪に装置本体側の関連する回路の入力端子の一方を接続し、他方の転がり軸受の内輪に太陽電池の他方の端子を、外輪に装置本体側の関連する回路の入力端子の他方を接続する方法である。転がり軸受では、内輪と外輪とがそれらの間にある多数の転動体（ボール、ローラ等）に接触する。接触部位には油膜が存在するが、それにも拘わらず、電力の導出には実質的影響がないことが本発明者により確認されている。電力の導出にブラシを用いることも可能ではあるが、転がり軸受を用いるとブラシでは困難な均質な導出が可能となり、且つブラシのような摩耗もため、維持管理が殆んど不要となるため、極めて有利である。太陽電池パネルからの両端子をそれらの転がり軸受の内輪に電気的に接続する方法は任意である。例えば、(a) 同時に回転する（故に相互に静止している）太陽電池パネルの端子と転がり軸受の内輪とを、直接接続するのが簡便な一方法である。また、(b) 一方の転がり軸受の内輪と太陽電池パネルからの端子の一方を、それぞれ風車の回転軸とを電気的に接続させることにより、回転軸を介して当該転がり軸受けの内輪と当該端子とを電気的に接続させ、他方の端子は、他方の転がり軸受に直接接続する、という方法によってもよい。方法(b)は、羽根から距離的に離れた位置（例えば回転軸の一端）からでも一方の端子出力の取り出しが容易であるという利点がある。何れの場合も、太陽電池パネル端子間の短絡を防止し、且つ装置の漏電を防止するため、他各導電性部材間（例えば、転がり軸受の内輪と回転軸との間、転がり軸受けの外輪と装置本体ハウジングとの間等）には必要に応じ、絶縁材を挿入して電気的接続を遮断する。
【００１６】
風車の下端に反射板を備える場合、反射板は、好ましくは、風車の回転半径に収まる範囲の大きさのものであり、特に好ましくは、平面図において風車の回転半径と同一の外径の円をなす輪郭を与えるものである。この反射板は、太陽電池表面で反射された太陽光を再度太陽電池表面へ戻すために、又は太陽電池から外れて照射した太陽光の一部を太陽電池表面へと向ける働きをする。前者の働きをさせるには、反射板は、風車の羽根の側に傾斜しているものであることが好ましく、後者の働きをさせるには、反射板は、傾斜のない水平なものであってもよい。反射板に傾斜を持たせる場合、その角度は、回転に際した空気抵抗と反射の効率とを考慮して、水平面から３０°までとするのが好ましく、例えば、１５〜２５°とすることができる。また、反射板の表面は、平滑であってもよいが、凹凸を備えたものとするのがより好ましい。
【００１７】
風車の下端に反射板を備え、反射板に傾斜を持たせる場合は、羽根とは反対側すなわち反射板の裏面に、該羽根の風受け面と同じ方向に向けた凹面よりなる風受けを備えることが好ましい。これは、回転に際して、傾斜した反射板に起因する僅かな空気抵抗を相殺するためのものである。風受けの形態は適宜であってよい。例えば、一対の中空の半球状のものを適宜な支持体を介して反射板の各裏面に溶接等で取り付けてもよく、半球を更に半分に切断した形状の一対のものを、一方の切断線に沿って各反射板の裏面に溶接等で直接取り付けてもよい。
【実施例】
【００１８】
以下に代表的な実施例を挙げて本発明を更に具体的に説明するが、本発明が該実施例に限定されることは意図しない。
【００１９】
図１は、周知のサボニウス形風車１の一例を、回転軸を省略して示す。図において、２及び３は、羽根であり、これらを保持する天板４及び底板５と共に、それぞれ概略半円筒形のカップを形作っている。６は、回転軸を通す穴である。
【００２０】
図２は、周知のＳ字ロータ形風車１１の一例を、回転軸を省略して示す。図において、１２は羽根であり両側において同一の周方向に折れ曲がっている。１６は回転軸が通る穴である。
【００２１】
図３は、本発明の太陽光・風力発電装置に用いられるサボニウス形の風車２１を、回転軸を省略して示す。図において、２２は、枠体垂直部であり、２枚ある羽根の各々について、その両側を保持するよう、それぞれの位置に設けられている。２３は、枠体垂直部２２と一体をなす桟であり、２４は、それぞれ、太陽電池を内部に配置し、２本の桟２３によって中間部を挟んで保持された一体のパネル（以下、「太陽電池パネル」という。）である。太陽電池パネル２４は、円筒状の外側及び内側の２枚の強化ガラスプレートの間に太陽電池を挟み込みその周囲で接着して１体化したものである。２５及び２６は、それぞれ枠体の天板及び底板である。それぞれの枠体垂直部２２は、外側の稜線において相互に結合された２層の帯の形態であり、その間に太陽電池２４パネルを挟みこんでいる。各桟２３は、枠体垂直部２２から、太陽電池パネル２４を表裏の面で挟み込んで横方向に延び、対向する枠体垂直部２２に終止している。枠体垂直部２２は、上下端において、天板２５及び底板２６にそれぞれ結合している。更に、天板２５の下面及び底板２６の上面に、枠体垂直部２２の端から、太陽電池パネル２４を表裏で挟み込んで伸びる２層の帯状の突条２８及び２９が、それぞれ設けられている。枠体のこれら各部と太陽電池パネル２４との間は、接着剤によってさらに固定されている。こうして、２枚の太陽電池パネル２４は、上端及び下端において、天板２５及び底板２６に設けられた２層の突条２８及び２９の間に、中間においては、各桟２３により、並びに両側においては枠体垂直部２２によって、それぞれ保持されて、サボニウス形の風車２１の一対の羽根を構成している。
【００２２】
図４は、図３に示した太陽電池を用いて構成したサボニウス形の風車２１の底面２６にある突条２９を通る水平断面図を示す。図に示されるように、太陽電池パネル２４は、突条２９内に表裏から挟み込まれ、両側においては枠体垂直部２２に挟み込まれている。太陽電池パネルと突条２９、枠体垂直部２２との接触面には、接着剤が適用されている。
【００２３】
図５は、図３に示した太陽電池を用いて構成したサボニウス形の風車２１の桟２３を通る水平断面図を示す。図に示されるように、太陽電池パネル２４は、桟２３によって表裏から挟み込まれている。両者の接触面には接着剤が適用されている。
【００２４】
図６は、上記風車２１を用いた風力・太陽光発電装置３１の一実施例の外観を示す斜視図である。風力・太陽光発電装置３１は、建造物又は基礎に固定された基部３３と、基部３３から延びる中空の２本の支柱３４、及び各支柱３４の上端を連絡する中空の梁３５、並びに基部３３と梁３５との間に取り付けられた風車２１を含む。３６は、風車２１の羽根と一体に回転してトルクを発電機に伝える回転軸であり、風車２１の上下において、軸受を介して基部３３と梁３５によって支えられている。
【００２５】
図７は、風力・太陽光発電装置３１の羽根２１の回転軸３６の上端付近における、正面からの垂直断面図である。図において、風車２１の天板２５と回転軸３６とは、双方に溶接されたリング４０によって結合されている。４２は金属製の転がり軸受であり、その外輪４３が、中空の梁３５の内面に絶縁層４１を挟んで取り付けられている。４４は、太陽電池パネルからのプラス側端子であり、風車２１の天板２５を通って、転がり軸受４２の内輪４６（回転軸３６に絶縁層４７を挟んで取り付けられている）に電気的に接続されている。転がり軸受４２の外輪４３には、後述の充放電コントローラーに接続した導線５０の一端が電気的に接続されている。こうして、太陽電池パネル２４のプラス側端子は、転がり軸受４２の内輪４６、転動体５２及び外輪４３を介して、充放電コントローラーに電気的に接続されている。
【００２６】
図８は、  風力・太陽光発電装置３１の軸３６の下端付近における、正面からの垂直断面図である。図において、風車２１の底板２６と回転軸３６とは、双方に溶接されたリング５４によって結合されている。５５は、装置の基部３３の天板であり、５６は、基部３３内に固定された板状の支持体である。支持体５６上には、風車２１の回転軸３６が下端において、軸受５８によって支持されている。基部３３の天板５５には、転がり軸受６０の外輪６２が、絶縁層６３を挟んで取り付けられている。転がり軸受６０の内輪６４は、絶縁層６５を挟んで回転軸３６に取り付けられている。転がり軸受６０の内輪６４には、底板２６を通って太陽電池パネル２４から延びるマイナス側端子６７が電気的に接続されている。転がり軸受６０の外輪６２には、後述の充放電コントローラーに接続した導線７０が電気的に接続されている。こうして、太陽電池パネル２４のマイナス側端子は、転がり軸受６０の内輪６４、転動体７２及び外輪６２を介して、充放電コントローラーに電気的に接続されている。また、図において、７５は発電機であり、固定リング７６を挟んで装置の基部３３の天板５５に固定されている。発電機７５の軸は、風車２１の回転軸３６と一体化しており発電機７５は、風車２１の回転によって駆動される。７７、７８、７９は、発電機７５からの出力端子であり、後述の風力充電回路に接続されている。
【００２７】
図９は、風力・太陽光発電装置３１の電気系統の概要を示す。図において８０は、装置の基部３３内に設けられた、慣用の、整流機能及び充電保護機能を備えた風力充電回路であり、発電機７５からの出力端子７７、７８、７９がこれに接続されている。風力充電回路８０は、バッテリー８２、８４に接続されており、これらに発電機７５からの電力が蓄えられる。８６は、装置の基部３３内に設けられた、充放電コントローラーであり、太陽電池パネルの各出力端子からの導線５０、７０がこれに接続されている。充放電コントローラー８６は、発電機７５と共用のバッテリー８２、８４にも接続されている。また、充放電コントローラー８６は、負荷用ＤＣ−ＡＣインバーター８８に接続され、ここで所定の交流に変換され、端子９０、９２に供給される。
【００２８】
図１０は、本発明の風力・太陽光発電装置の別の一実施例の外観を示す斜視図である。本実施例は、風車２１の下端に１０３、１０４、１０５、１０６の各部分からなる反射板を含む。それ以外の点においては、先の実施例の風力・太陽光発電装置３１と同一であり、対応部分は同一の参照番号で示される。反射板の部分１０３、１０５は、各羽根の法苦へ傾斜しており、ぞれぞれの傾斜角度は水平面に対して約２０°である。傾斜を有することにより、太陽電池パネル２４の表面で反射された太陽光の一部を、反射して再び太陽電池パル２４へと向けることができる。本実施例では、反射板の部分１０６が、先の実施例における枠体の底板２６の役割をも担っている。図１１は、本実施例における、風車２１の桟２３を通る水平断面図を示す。図１１より明らかなように、反射板の外周は、平面図において羽根の回転半径に一致する円となるように設計されている。反射板の表面は、平滑であってもよいが、シボ又はより目の粗い反射性の凹凸を有するものであってもよい。また、本実施例では、反射板は羽根の前後側で羽根の方向へ傾斜しているが、傾斜のない、回転軸２６に垂直な面としてもよい。その場合でも、反射板に直接入射した太陽光を、反射して太陽電池パネルへと向けることができる。
【００２９】
図１２及び１３は、反射板１０３、１０５の下側の面（裏面）に溶接された風受け１１０、１１１を有する更なる別の一実施例の羽根の側方立面図及び下方からの斜視図を、それぞれ示す。かぜ受け１１０、１１１は、中空のそれぞれ中空の半球状である。図１３に明らかなように、羽根２１の回転方向に関し、それぞれの風受け１１０、１１２の凹面が、羽根２１の風受け面（円筒型の凹面）と同一の方向に向けられており、それにより、風を受けたとき、羽根２１と同一方向のトルクを生じる。
【００３０】
図１４及び１５は、別の形状の風受け１１５、１１６を有する更なる別の一実施例の羽根の側方立面図及び下方からの斜視図を、それぞれ示す。本実施例においては、風受け１１５、１１６は、半球を更に半分に切断した形状のものであり、その凹面を、羽根の風受け面と同一の方向に向けて一方の切断線に沿って反射板１０３、１０５の裏面に溶接されている。それにより、風受け１１５、１１６は、風力を受けて羽根２１と同一方向のトルクを生じる。
【産業上の利用可能性】
【００３１】
本発明によれば、風力発電と太陽光とを同時に行うことができ、また日照時間を通して均一な太陽光発電が可能となるため、発電効率の高い発電装置が提供される。
【図面の簡単な説明】
【００３２】
【図１】サボニウス形風車の斜視図
【図２】Ｓ字ロータ形風車の斜視図
【図３】本発明の太陽光・風力発電装置の一実施例の風車の斜視図
【図４】実施例の風車の底面にある突条を通る水平断面図
【図５】実施例の風車の桟を通る水平断面図
【図６】太陽光・風力発電装置の一実施例の斜視図
【図７】羽根の回転軸の上端付近における、正面からの垂直断面図
【図８】羽根の回転軸の下端付近における、正面からの垂直断面図
【図９】風力・太陽光発電装置の電気系統の概要
【図１０】太陽光・風力発電装置の別の一実施例の斜視図
【図１１】図１０の実施例における、風車の桟を通る水平断面図
【図１２】更なる別の一実施例の羽根の側方立面図
【図１３】図１２の実施例の下方からの斜視図
【図１４】更なる別の一実施例の羽根の側方立面図
【図１５】図１４の実施例の下方からの斜視図
【符号の説明】
【００３３】
１＝サボニウス形風車
２＝Ｓ字ロータ形風車
２１＝風車
２２＝枠体垂直部
２３＝桟
２４＝太陽電池パネル
２５＝天板
２６＝底板
２８、２９＝突条
３１＝風力・太陽光発電装置
３３＝基部
３４＝支柱
３５＝梁
３６＝回転軸
４０＝リング
４１＝絶縁層
４２＝転がり軸受
４３＝外輪
４６＝内輪
４７＝絶縁層
５０＝導線
５２＝転動体
５５＝天板
５６＝支持体
５８＝軸受
６０＝転がり軸受
６２＝外輪
６３＝絶縁層
６４＝内輪
６５＝絶縁層
７０＝導線
７２＝転動体
７５＝発電機
７６＝固定リング
７７、７８、７９＝出力端子
８０＝風力充電回路
８２、８４＝バッテリー
８６＝充放電コントローラー、
８８＝ＤＣ−ＡＣインバーター
９０、９２＝端子
１０３、１０４、１０５、１０６＝反射板の部分
１１０、１１２＝風受け
１１５、１１６＝風受け
【図１】
2006105107.tif 000003
【図２】
2006105107.tif 000004
【図３】
2006105107.tif 000005
【図４】
2006105107.tif 000006
【図５】
2006105107.tif 000007
【図６】
2006105107.tif 000008
【図７】
2006105107.tif 000009
【図８】
2006105107.tif 000010
【図９】
2006105107.tif 000011
【図１０】
2006105107.tif 000012
【図１１】
2006105107.tif 000013
【図１２】
2006105107.tif 000014
【図１３】
2006105107.tif 000015
【図１４】
2006105107.tif 000016
【図１５】
2006105107.tif 000017